(57)【要約】      （修正有）【課題】  コンピューター等のシステムが複数の種類の信号を受け取るため余分な製造コストとスペースが生じないような構成を持つ信号伝送装置を提供すること。【解決手段】  ディスプレイモジュール１０と、このディスプレイモジュール１０と信号を伝送し合うシステムとを電気的に接続する第一フレキシブルプリント回路板１０２、及び前記ディスプレイモジュール１０と前記第一フレキシブルプリント回路板１０２とを第二フレキシブル回路板１０４、１０６にて電気的に接続する。そして、上記第一フレキシブルプリント回路板１０２と上記第二フレキシブルプリント回路板１０４、１０６は、ホットバー方式はんだ付け法により接合して信号供給装置を提供する。【選択図】  図１
2005317957.tif 000002
【特許請求の範囲】
【請求項１】
ディスプレイモジュールと、このディスプレイモジュールと信号を伝送し合うシステムと、を接続する信号伝送装置であって、
前記ディスプレイモジュールと前記システムとを電気的に接続する第一フレキシブルプリント回路板と、
前記ディスプレイモジュールと、前記第一フレキシブルプリント回路板と、を電気的に接続するときに、前記第一フレキシブルプリント回路板と第二フレキシブルプリント回路板とが、ホットバー方式はんだ付け方法によって接合された第二フレキシブルプリント回路板と、
を含むことを特徴とする信号伝送装置。
【請求項２】
前記第一フレキシブルプリント回路板の第一線列マークは、前記第二フレキシブルプリント回路板の第二線列マークと位置合わせするためのマークであることを特徴とする請求項１に記載の信号伝送装置。
【請求項３】
前記第一フレキシブルプリント回路板が第一位置合わせ孔を有し、前記第二フレキシブルプリント回路板が第二位置合わせ孔を有し、前記第一位置合わせ孔と第二位置合わせ孔との位置を合わせることでアセンブリされることを特徴とする請求項１に記載の信号伝送装置。
【請求項４】
前記第二フレキシブルプリント回路板は、前記第一フレキシブルプリント回路板と第二フレキシブルプリント回路板の接合部に隣接する位置に開孔を有することを特徴とする請求項１に記載の信号伝送装置。
【請求項５】
前記第一フレキシブルプリント回路板は、ディスプレイパネル信号を伝送することを特徴とする請求項１に記載の信号伝送装置。
【請求項６】
前記第二フレキシブルプリント回路板は、タッチパネル信号を伝送することを特徴とする請求項１に記載の信号伝送装置。
【請求項７】
前記第二フレキシブルプリント回路板は、光源信号を伝送することを特徴とする請求項１に記載の信号伝送装置。
【請求項８】
前記ディスプレイモジュールと前記第一フレキシブルプリント回路板とを電気的に接続する第三フレキシブルプリント回路板を更に含むことを特徴とする請求項１に記載の信号伝送装置。
【請求項９】
ディスプレイモジュールとこのディスプレイモジュールと信号を伝送し合うシステムを接続する信号伝送装置であって、
前記ディスプレイモジュールと前記システムとを電気的に接続する第一フレキシブルプリント回路板と、
前記ディスプレイモジュールと前記第一フレキシブルプリント回路板とを電気的に接続し、
前記第一フレキシブルプリント回路板と第二フレキシブルプリント回路板とは、異方性導電膜接続によって接合されることを特徴とする信号伝送装置。
【請求項１０】
前記第一フレキシブルプリント回路板の第一線列マークは、前記第二フレキシブルプリント回路板の第二線列マークと位置合わせするためのマークであることを特徴とする請求項９に記載の信号伝送装置。
【請求項１１】
前記第一フレキシブルプリント回路板が第一位置合わせ孔を有し、前記第二フレキシブルプリント回路板が第二位置合わせ孔を有し、前記第一位置合わせ孔と第二位置合わせ孔との位置を合わせることでアセンブリされることを特徴とする請求項９に記載の信号伝送装置
【請求項１２】
前記第二フレキシブルプリント回路板は、前記第一フレキシブルプリント回路板と第二フレキシブルプリント回路板の接合部に隣接する位置に開孔を有することを特徴とする請求項９に記載の信号伝送装置。
【請求項１３】
前記第一フレキシブルプリント回路板は、ディスプレイパネル信号を伝送することを特徴とする請求項９に記載の信号伝送装置。
【請求項１４】
前記第二フレキシブルプリント回路板は、タッチパネル信号を伝送することを特徴とする請求項９に記載の信号伝送装置。
【請求項１５】
前記第二フレキシブルプリント回路板は、光源信号を伝送することを特徴とする請求項９に記載の信号伝送装置。
【請求項１６】
前記ディスプレイモジュールと前記第一フレキシブルプリント回路板とを電気的に接続する第三フレキシブルプリント回路板を更に含むことを特徴とする請求項９に記載の信号伝送装置。
【請求項１７】
ディスプレイモジュールとこのディスプレイモジュールと信号を伝送し合うシステムを接続する信号伝送装置であって、
前記ディスプレイモジュールと前記システムとを電気的に接続する第一フレキシブルプリント回路板と、
前記ディスプレイモジュールと前記第一フレキシブルプリント回路板とを電気的に接続し、
前記第一フレキシブルプリント回路板は、第一線列マークを有し、前記第二フレキシブルプリント回路板は、第二線列マークを有し、前記第一線列マークと前記第一線列マークとが位置合わせされるようにされた第二フレキシブルプリント回路板を含むことを特徴とする信号伝送装置。
【請求項１８】
前記第一フレキシブルプリント回路板は、第一位置合わせ孔を有し、前記第二フレキシブルプリント回路板は、第二位置合わせ孔を有し、前記第一位置合わせ孔と前記第二位置合わせ孔とが位置合わせされることを特徴とする請求項１７に記載の信号伝送装置。
【請求項１９】
前記第二フレキシブルプリント回路板は、前記第一フレキシブルプリント回路板と第二フレキシブルプリント回路板の接合部に隣接する位置に開孔を有することを特徴とする請求項１７に記載の信号伝送装置。
【請求項２０】
前記第一フレキシブルプリント回路板は、ディスプレイパネル信号を伝送することを特徴とする請求項１７に記載の信号伝送装置。
【請求項２１】
前記第二フレキシブルプリント回路板は、タッチパネル信号を伝送することを特徴とする請求項１７に記載の信号伝送装置。
【請求項２２】
前記第二フレキシブルプリント回路板は、光源信号を伝送することを特徴とする請求項１７に記載の信号伝送装置。
【請求項２３】
前記ディスプレイモジュールと前記第一フレキシブルプリント回路板とを電気的に接続することを特徴とする第三フレキシブルプリント回路板を更に含む請求項１７に記載の信号伝送装置。
【発明の詳細な説明】
【技術分野】
【０００１】
本発明は、信号伝送装置に関し、特に、ＬＣＤモジュールとコンピュータ等のシステムとの間で多重信号を伝送する信号伝送装置に関するものである。
【背景技術】
【０００２】
一般的に、従来のタッチスクリーンＬＣＤモジュールは、ＬＣＤパネル、タッチパネルと光源を含んでいる（図６参照）。従来のタッチスクリーン型ＬＣＤモジュール１０は、ＬＣＤパネルの信号、タッチパネルの信号、光源の信号を、フレキシブルプリント回路板１０２、１０４、１０６を介してコンピューター等のシステム（不図示）へと伝送する。しかし、当該システムが３種類の信号を受け取るためには、フレキシブルプリント回路板１０２、１０４と１０６に対応した接続端子が上記システムに必要とされる。よって、余分な製造コストとスペースを生じさせる。
【特許文献１】特開平６−５１３３４号公報
【発明の開示】
【発明が解決しようとする課題】
【０００３】
よって、本発明の課題は、コンピューター等のシステムが複数の種類の信号を受け取るため余分な製造コストとスペースが生じないような構成を持つ信号伝送装置を提供することにある。
【課題を解決するための手段】
【０００４】
信号伝送装置は、第一フレキシブルプリント回路板と第二フレキシブルプリント回路板とを含み、ＬＣＤモジュールとＰＣ等のシステムとを接続し、第一フレキシブルプリント回路板は、ＬＣＤモジュールと上記システムを電気的に接続し、さらに、第二フレキシブルプリント回路板は、ＬＣＤモジュールと第一フレキシブルプリント回路板を電気的に接続する。第一二フレキシブルプリント回路板と第二フレキシブルプリント回路板は、公知のホットバー方式はんだ付け方法（Ｈｏｔ  Ｂａｒ  Ｓｏｌｄｅｒｉｎｇ）又は異方性導電膜（Ａｎｉｓｏｔｒｏｐｉｃ  Ｃｏｎｄｕｃｔｉｖｅ  Ｆｉｌｍ）接続によって接合される。より具体的には本発明は以下の手段により上記課題を解決する。
【０００５】
本発明は、ディスプレイモジュールと、このディスプレイモジュールと信号を伝送し合うシステムと、を接続する信号伝送装置であって、前記ディスプレイモジュールと前記システムとを電気的に接続する第一フレキシブルプリント回路板と、前記ディスプレイモジュールと、前記第一フレキシブルプリント回路板と、を電気的に接続するときに、前記第一フレキシブルプリント回路板と第二フレキシブルプリント回路板とが、ホットバー方式はんだ付け方法によって接合された第二フレキシブルプリント回路板とを含むことを特徴とする信号伝送装置を提供する。
【０００６】
さらに本発明は、前記第一フレキシブルプリント回路板の第一線列マークは、前記第二フレキシブルプリント回路板の第二線列マークと位置合わせするためのマークであることを特徴とする上記の信号伝送装置を提供する。
【０００７】
さらに、本発明は、前記第一フレキシブルプリント回路板が第一位置合わせ孔を有し、前記第二フレキシブルプリント回路板が第二位置合わせ孔を有し、前記第一位置合わせ孔と第二位置合わせ孔との位置を合わせることでアセンブリされることを特徴とする上記の信号伝送装置を提供する。
【０００８】
さらに、本発明は、前記第二フレキシブルプリント回路板は、前記第一フレキシブルプリント回路板と第二フレキシブルプリント回路板の接合部に隣接する位置に開孔を有することを特徴とする上記の信号伝送装置を提供する。
【０００９】
さらに、本発明は、前記第一フレキシブルプリント回路板は、ディスプレイパネル信号を伝送することを特徴とする上記の信号伝送装置を提供する。
【００１０】
さらに、本発明は、前記第二フレキシブルプリント回路板は、タッチパネル信号を伝送することを特徴とする上記の信号伝送装置を提供する。
【００１１】
さらに、本発明は、前記第二フレキシブルプリント回路板は、光源信号を伝送することを特徴とする上記の信号伝送装置を提供する。
【００１２】
さらに、本発明は、前記ディスプレイモジュールと前記第一フレキシブルプリント回路板とを電気的に接続する第三フレキシブルプリント回路板を更に含むことを特徴とする上記の信号伝送装置を提供する。
【００１３】
他の本発明は、ディスプレイモジュールとこのディスプレイモジュールと信号を伝送し合うシステムを接続する信号伝送装置であって、前記ディスプレイモジュールと前記システムとを電気的に接続する第一フレキシブルプリント回路板と、前記ディスプレイモジュールと前記第一フレキシブルプリント回路板とを電気的に接続し、前記第一フレキシブルプリント回路板と第二フレキシブルプリント回路板とは、異方性導電膜（ＡＣＦ）接続によって接合されることを特徴とする信号伝送装置を提供する。
【００１４】
本発明は、前記第一フレキシブルプリント回路板の第一線列マークは、前記第二フレキシブルプリント回路板の第二線列マークと位置合わせするためのマークであることを特徴とする上記の信号伝送装置を提供する。
【００１５】
本発明は、前記第一フレキシブルプリント回路板が第一位置合わせ孔を有し、前記第二フレキシブルプリント回路板が第二位置合わせ孔を有し、前記第一位置合わせ孔と第二位置合わせ孔との位置を合わせることでアセンブリされることを特徴とする上記の信号伝送装置を提供する。
【００１６】
本発明は、前記第二フレキシブルプリント回路板は、前記第一フレキシブルプリント回路板と第二フレキシブルプリント回路板の接合部に隣接する位置に開孔を有することを特徴とする上記の信号伝送装置を提供する。
【００１７】
本発明は、前記第一フレキシブルプリント回路板は、ディスプレイパネル信号を伝送することを特徴とする上記の信号伝送装置を提供する。
【００１８】
本発明は、前記第二フレキシブルプリント回路板は、タッチパネル信号を伝送することを特徴とする上記の信号伝送装置を提供する。
【００１９】
本発明は、前記第二フレキシブルプリント回路板は、光源信号を伝送することを特徴とする上記の信号伝送装置を提供する。
【００２０】
本発明は、前記ディスプレイモジュールと前記第一フレキシブルプリント回路板とを電気的に接続する第三フレキシブルプリント回路板を更に含むことを特徴とする上記の信号伝送装置を提供する。
【００２１】
他の本発明は、ディスプレイモジュールとこのディスプレイモジュールと信号を伝送し合うシステムを接続する信号伝送装置であって、前記ディスプレイモジュールと前記システムとを電気的に接続する第一フレキシブルプリント回路板と、前記ディスプレイモジュールと前記第一フレキシブルプリント回路板とを電気的に接続し、前記第一フレキシブルプリント回路板は、第一線列マークを有し、前記第二フレキシブルプリント回路板は、第二線列マークを有し、前記第一線列マークと前記第一線列マークとが位置合わせされるようにされた第二フレキシブルプリント回路板を含むことを特徴とする信号伝送装置を提供する。
【００２２】
本発明は、前記第一フレキシブルプリント回路板は、第一位置合わせ孔を有し、前記第二フレキシブルプリント回路板は、第二位置合わせ孔を有し、前記第一位置合わせ孔と前記第二位置合わせ孔とが位置合わせされることを特徴とする上記の信号伝送装置を提供する。
【００２３】
本発明は、前記第二フレキシブルプリント回路板は、前記第一フレキシブルプリント回路板と第二フレキシブルプリント回路板の接合部に隣接する位置に開孔を有することを特徴とする上記の信号伝送装置を提供する。
【００２４】
本発明は、前記第一フレキシブルプリント回路板は、ディスプレイパネル信号を伝送することを特徴とする上記の信号伝送装置を提供する。
【００２５】
本発明は、前記第二フレキシブルプリント回路板は、タッチパネル信号を伝送することを特徴とする上記の信号伝送装置を提供する。
【００２６】
本発明は、前記第二フレキシブルプリント回路板は、光源信号を伝送することを特徴とする上記の信号伝送装置を提供する。
【００２７】
本発明は、前記ディスプレイモジュールと前記第一フレキシブルプリント回路板とを電気的に接続する第三フレキシブルプリント回路板を更に含むことを特徴とする上記の信号伝送装置を提供する。
【発明の効果】
【００２８】
本発明の信号伝送装置によれば、タッチスクリーン型ディスプレイモジュール１０とＰＣ等のシステム間の多重信号を伝送するのに、一つのコネクタ（接続部材）で足りるため、組立てに必要な製造コストとスペースを減少することができる。
【発明を実施するための最良の形態】
【００２９】
本発明を実施するための最良の形態についての目的、特徴、長所が一層明確に理解されるよう、実施例を通じて図を参照し詳細に以下説明する。
【実施例１】
【００３０】
図５に示されるように、本発明の信号伝送装置は、第一フレキシブルプリント回路板１０２、第二フレキシブルプリント回路板１０４、及び第三フレキシブルプリント回路板１０６を含み、タッチスクリーン型ディスプレイモジュール１０とＰＣ等のシステム（不図示）とを電気的に接続している。第一フレキシブルプリント回路板１０２は、コネクタ１０２０を通してタッチスクリーン型ディスプレイモジュール１０と上記システムとの間のディスプレイパネル信号を伝送する。第二フレキシブルプリント回路板１０４及び第三フレキシブルプリント回路板１０６は、それぞれ、第一フレキシブルプリント回路板１０２を介して、タッチスクリーン型ディスプレイモジュール１０とシステムとの間でタッチパネル信号と光源信号とを伝送する。
【００３１】
図５の領域Ａと領域Ｂに示されるように、第二フレキシブルプリント回路板１０４及び第三フレキシブルプリント回路板１０６は、第一フレキシブルプリント回路板１０２に接合されており、もって、タッチスクリーン型ディスプレイモジュール１０から伝送されるタッチパネル信号及び光源信号は、第一フレキシブルプリント回路板１０２に集められ、コネクタ１０２を介して上記システムに伝送することができる。つまり、ディスプレイ用パネル信号、タッチパネル信号、及び光源信号は、第一フレキシブルプリント回路板１０２に統合され、一つのコネクタ１０２０によって図示しないＰＣ等のシステムに伝送される。
【００３２】
図３に示されるように、第一フレキシブルプリント回路板１０２及び第二フレキシブルプリント回路板１０４は、対応するはんだ付けパッドＳを通して公知のホットバー方式はんだ付けにより接合される。よって、第二フレキシブルプリント回路板１０４のタッチパネル信号は、第一フレキシブルプリント回路板１０２に集められる（図５参照）。第二フレキシブルプリント回路板１０４は更に、はんだ付けパッドＳに隣接するように複数の縦型の開孔Ｈ１を含み、はんだ流出による短絡を防ぐ。なお、開孔Ｈ１を第一フレキシブルプリント回路板１０２に配置することもできる。
【００３３】
図５では、第一フレキシブルプリント回路板１０２は、その上に配置された、はんだ付けパッドＳを備えた接続域１０２１を画定する。また、複数の線列マークＭは、接続域１０２１と第二フレキシブルプリント回路板１０４の周辺の周りに対応して設置される。正確な、位置付け及び接続は、組立て時に、第一フレキシブルプリント回路板１０２上と、第二フレキシブルプリント回路板１０４上の、線列マークＭに位置合わせすることによって達成される。同様に、また、図５の領域Ｂに示されるように、第一フレキシブルプリント回路板１０２を正確に接続するために、線列マークＭを、第三フレキシブルプリント回路板１０６に提供することもできる。
【実施例２】
【００３４】
図４及び図５に示されるように、第一フレキシブルプリント回路板１０２と第二フレキシブルプリント回路板１０４は、対応するはんだ付けパッドＳを介して異方性導電膜（ＡＣＦ）接続によって接合されることもできる。図５に示すように、異方性導電膜Ｆは、第一フレキシブルプリント回路板１０２及び第二フレキシブルプリント回路板１０４のはんだ付けパッドＳの間に電気的に接続され、もって、第二フレキシブルプリント回路板１０４のタッチパネル信号を第一フレキシブルプリント回路板１０２に集めることができる。
【００３５】
図４では、第一フレキシブルプリント回路板１０２及び第二フレキシブルプリント回路板１０４は、位置合わせ孔Ｈ２を介して位置合わせされる。正確な、位置付けと接続は、第一フレキシブルプリント回路板１０２上、及び第二フレキシブルプリント回路板１０４上の位置合わせ孔Ｈ２に位置合わせることによって達成される。同様に、位置合わせ孔Ｈ２はさらに図５の領域Ｂに示すように、第一フレキシブルプリント回路板１０２を正確に接続するために、第三フレキシブルプリント回路板１０６に提供することもできる。
【００３６】
以上より、本発明は、第一フレキシブルプリント回路板１０２において、タッチパネル用信号と光源信号とを同時に集めることができる伝送装置を提供することができる。タッチスクリーン型ディスプレイモジュール１０とＰＣ等のシステム（不図示）との間のタッチパネル用信号、光源信号、及びディスプレイパネル用信号は、第一フレキシブルプリント回路板１０２の一つのコネクタ１０２０（図５）を介して伝送することができる。上述のように、各フレキシブルプリント回路板は、ホットバー方式はんだ付け、又は異方性導電膜接続によって接合することができる。また、正確な位置付けと接続のために、線列マークＭ又は孔Ｈ２を、各フレキシブルプリント回路板に提供することができる。
【００３７】
以上、本発明の好適実施例を例示したが、これは本発明を限定するものではなく、本発明の精神及び範囲を逸脱しない限りにおいては、当業者であれば行い得る少々の変更や修飾を付加することは可能である。
【図面の簡単な説明】
【００３８】
【図１】本発明に基づいた信号伝送装置の透視図である。
【図２】本発明に基づいた第一実施例の透視図である。
【図３】図１に対応するＸ方向の側面図である。
【図４】本発明に基づいた第二実施例の透視図である。
【図５】図４に対応するＸ方向の側面図である。
【図６】ＬＣＤモジュールに接続している従来の信号伝送装置の透視図である。
【符号の説明】
【００３９】
１０      タッチスクリーン型ディスプレイモジュール
１０２    第一フレキシブルプリント回路板
１０２１  接合領域（接合部）
１０４    第二フレキシブルプリント回路板
１０６    第二フレキシブルプリント回路板
１０２０  コネクタ
Ｆ        異方性導電膜
Ｍ        線列マーク
Ｈ１      開孔
Ｈ２      位置合わせ孔
Ｓ        はんだ付けパッド
【図１】
2005317957.tif 000003
【図２】
2005317957.tif 000004
【図３】
2005317957.tif 000005
【図４】
2005317957.tif 000006
【図５】
2005317957.tif 000007
【図６】
2005317957.tif 000008